(57)【要約】      （修正有）【課題】保水性、排水性、通気性を向上させ、土の入れ替えや追肥を容易に行うことのできるように運用性を高め、肥料効果などの経済性を高め、農地のような健全な植栽が楽しめる植木鉢を提供する。また、鉢の素材を選ばず、鉢のデザインの自由度を高めて安価に製造でき、室内でも高い健全性と運用性を維持したままインテリア性の高い植栽を楽むことの出来る植木鉢を提供する。【解決手段】有底状に形成された容器本体と、該容器本体の下部の一部に設けられた貫通孔８と連設して設けられ、上方に畝間開口部９を有し、従来植木鉢の排水口を不要とし、農地に於いて植栽の健全性と運用性に効果のある畝に類似した畝間部２を備える。【選択図】図２
0003167711.tif 000002
【実用新案登録請求の範囲】
【請求項１】
有底状に形成された容器本体と、上記容器本体の下部の一部に設けられた貫通孔と連設して設けられ、上方に開口部を有する畝間部とを備えることを特徴とする植木鉢。
【請求項２】
上記畝間部は、１箇所または複数個所、設けたことを特徴とする請求項１に記載の植木鉢。
【請求項３】
上記容器本体は、略直方体形状、または略円柱形状であることを特徴とする請求項１に記載の植木鉢。
【請求項４】
上記容器本体の底部に栓で封止可能な排水口を設けたことを特徴とする請求項１に記載の植木鉢。
【考案の詳細な説明】
【技術分野】
【０００１】
本考案は、植物の育成管理を容易にし、且つ育成を促進する植木鉢に関するものである。
【背景技術】
【０００２】
従来の植木鉢では、排水、通気の管理機能は、本体底面にある排水口及び本体上部の開口部に頼っており、過剰な水やりによる根の水没や通気性の悪化による酸欠など、植物の根に負担をかけ、その育成を阻害し易い構造であった。一方、その様な欠点を補完するために本体底面の排水口を大きくした植木鉢もあるが、保水性が低下するとともに肥料が流失し易いなど、何れも植栽上の課題があった。
【０００３】
そこで、植木鉢の側面底部側に貫通穴を設けると共に、この貫通穴を開閉可能とするカバー部材を設けた栽培容器が提案されている（特許文献１参照）。この栽培容器によれば、使用環境に合わせて貫通穴を開閉することにより、良好な生育と植え替えが可能となる。例えば、露地に植え替える場合には、貫通穴を開放することにより、貫通穴を通じて栄養分や水分が補給される。また、屋内で鑑賞する場合には、貫通穴を閉鎖することにより、植物にダメージを与えることがない。
【先行技術文献】
【特許文献】
【０００４】
【特許文献１】特開２０１０−１６１９４１号公報
【考案の概要】
【考案が解決しようとする課題】
【０００５】
特許文献１に開示の栽培容器によれば、露地に植え替えた際には、貫通穴を通じて栄養分や水分の補給を得ることができる。しかし、露地植えにしない場合には、土の入れ替えや追肥は本体上部の開口部からのみ可能であり、簡便さを求め開口部周辺のみでこれらを行えば効果が低く、逆に効果を求めて土を掘り起こしたりすれば作業が大掛かりになるばかりでなく根に負担を掛けることになるという問題があった。すなわち、従来からある植木鉢の構造的欠陥に基づく通気、保水、排水、土の入れ替えや追肥など基本的な植栽の健全性と運用性の欠点は何ら解決されていなかった。
【０００６】
本考案は、このような事情を鑑みてなされたものであり、保水性、排水性、通気性を向上させ、土の入れ替えや追肥を容易に行うことのできる植木鉢を提供することを目的とする。
【課題を解決するための手段】
【０００７】
上記目的を達成するため、第１の考案に係わる植木鉢は、農地で一般化している畝の効用を植木鉢に応用し畝間を構成する。本考案に係わる植木鉢は、有底状に形成された容器本体と、上記容器本体の側面の一部に設けられた貫通孔と連設して設けられ、上方に開口部を有する膨出部を有する。
＜注１＞「畝」とは畑に作物を植えつけるために、間隔をおいて土を筋状に高く盛り上げた所。・・・出典「広辞苑」
＜注２＞「畝間」とは畝と畝の間。・・・出典「広辞苑」
【０００８】
第２の考案に係わる植木鉢は、上記第１の考案において、上記畝間部を１箇所または複数個所設ける。
第３の考案に係わる植木鉢は、上記第１の考案において、上記容器本体は、略直方体形状、または略円柱形状である。
第４の考案に係わる植木鉢は、上記第１の考案において、上記容器本体の底部に栓で封止可能な排水口を設ける。
【考案の効果】
【０００９】
本考案に係わる植木鉢によれば、膨出部が、容器本体の側面の一部に設けられた貫通孔と連設して設けられており、かつ上方に畝間開口部を有している。このため、畝間開口部を介して、水やり、排水、通気、土の入替、追肥を容易に行うことができる。
【図面の簡単な説明】
【００１０】
【図１】本考案の一実施形態に係わる植木鉢の外観斜視図である。
【図２】本考案の一実施形態に係わる植木鉢のＡ−Ａ断面図である。
【図３】本考案の一実施形態に係わる植木鉢の第１の変形例の断面図である。
【図４】本考案の一実施形態に係わる植木鉢の第２の変形例の外観図である。
【考案を実施するための形態】
【００１１】
以下、図面に従って本考案を適用した植木鉢を用いて好ましい実施形態について説明する。図１は、一実施形態に係わる植木鉢の外観斜視図、図２は断面図であり、植物を実際に栽培している際の根と土及び畝間の位置関係の概略を示す。
【００１２】
植木鉢１は、有底の略直方体形状であり、前方に畝間として機能する畝間部２を有している。すなわち、左右それぞれに配置された側板３、前方上部の上部正面板４、前方下部に配置された下部正面板５、背面板６、および底板７から構成されている。これらの部材は、一体に構成されている。底板７は、植木鉢１の正面に突出しており、また上部前板４と底板７との間には植木鉢８の長手方向に沿って貫通孔８が形成されている。畝間部２は、上部正面板４と下部正面板５の間であって、貫通孔８に連設して設けられ、この畝間部２の上側は畝間開口部９となっている。また、上部正面板４および側板３によって上方開口部１０が形成されている。
【００１３】
側板３の底部および底板７には、排水のための排水口１１が設けられている。なお、畝間として機能する畝間開口部９から水分が水蒸気となって蒸発し、さらに過剰な水は排水されるため、通常植木鉢の底にある排水口は不要である。本実施形態では排水口１１は緊急時を考慮して水抜き用に設けている。しかし、緊急時以外は無駄な排水と肥料の流失を防ぐために排水口１１に栓をしておくとよい。これにより、肥料効果を維持したまま保水性を向上できる。
【００１４】
また、本考案を適用した植木鉢では鉢の素材によらず保水、排水、通気を確保できるため、鉢の部材の素材は、強度など植木鉢としての基本的な条件を満たせば問わず、例えば、木材、合成樹脂、陶器等を利用できる。合成樹脂を利用した場合には、上述の部材を一体に構成でき、また木材等、個々の素材を組み合わせる場合には、ネジ、釘、接着剤等で一体に構成すればよい。
【００１５】
次に、本考案の一実施形態に係わる植木鉢の使用方法について説明する。上方開口部１０および畝間開口部９を介して土Ｓを入れ、また上方開口部１０に露出する土Ｓに種を蒔いたり、苗等の植物Ｐを植えることができる。上方開口部１０を通して通常の水やりや肥料の散布を行うことができる。
【００１６】
また、畝間開口部９を介して、肥料の散布を行うことができる。特に、野菜等の植物Ｐの生育状況を見ながら適宜追肥を行うが、畝間開口部９を介して行う追肥は、植物Ｐの根に直接的な負担をかけることがない。また、水は、畝間開口部９から水蒸気となって排水される。そして、畝間開口部９を介して通気することができ、酸欠になりにくく、「根腐れ」を低減する。さらに、底板７から畝間開口部９にかけて十分な保水容量があり安定的に水分を植物の根に供給できる。一方、雨水等極めて過度の水が植木鉢１に流れ込んだ際は、過剰水は畝間開口部９から排水され、どのような場合に於いても植物Ｐの根が水没することはなく「根腐れ」の危険性を低減している。
【００１７】
次に、本考案の一実施形態の変形例について、図３、図４を用いて説明する。一実施形態においては、畝間部２は、正面側に１箇所だけ配置していたが、これに限らず、例えば、図３に示す第１の変形例のように、正面側に加えて背面側に畝間部２ｂを設けてもよい。図３に示す例では、背面板６に代えて、上部背面板６ａと下部背面板６ｂを設け、また底板７を背面側にも突出している。この突出した部分の上方に背面側の畝間開口部９ｂが形成される。背面画像の畝間開口部９ｂは畝間開口部９と同様の作用を有する。なお、畝間開口部は、正面側、背面側以外にも側面に設けてもよい。
【００１８】
そして、一実施形態においては、植木鉢１は略直方体をなしていたが、これに限らず、例えば、図４に示すように、略円柱形状であってもよい。図４に示す第２の変形例では、円柱形状の下部の一部に畝間部２ｃを設けている。
【００１９】
上述したように、本考案の一実施形態や変形例に係わる植木鉢は、植木鉢の下部（毛根の位置）により多くの土を持つこと、底面の排水口からの排水が不要になることで保水性を向上した（保水性向上）。過剰な水は畝間から排水され植木鉢特有の問題であった根の水没を防止できるようになる（排水性向上）。従来の植木鉢は底面に排水口はあるものの吸気を上方開口部に頼らざるを得ず、根に十分酸素が行き渡らない問題があったが、空気が畝間と植木鉢の上部とを通気するため根が十分な酸素を吸収できるようになる（通気性向上）など農地の畝に類似した形態で植栽の健全性全般が向上する。
【００２０】
また、肥料は従来の植木鉢の場合上部からしか与えられず根に対して肥料濃度が高すぎる所謂「肥料焼け」が発生しやすかった。それを防ぐために土作りの当初から肥料を土の下部に混ぜておくなどの所作が必要であったが、これも水捌けの悪い場合は「肥料焼け」の原因となるが、水を多く与えれば肥料が底面の排水口から流れ出すため、肥料の無駄が発生した。畝間から肥料を与えることにより、適宜必要量を根に負担をかけることなく追肥できる（肥料管理性向上）など農地の畝に類似した形態で植栽の運用性全般が向上する。
【００２１】
また、従来の植木鉢では水や肥料は底面の排水口から流れ出すが、本考案の一実施形態や変形例に係わる植木鉢では水蒸気により排水されるため、水と肥料の使用効率が高く経済的である。また、従来の植木鉢では、通気性の欠点を補うために素焼きなどの素材を使用していたが、本考案の一実施形態や変形例に係わる植木鉢では十分な通気性が確保されるため鉢自体の素材を選ばず安価に製造できる（製造コスト低減）。畝間を設けることで農地に類似した形態で植栽の運用性が向上するため、植木鉢の外形が必ずしも逆台形の広口である必要はなく、全体のデザインにも自由度が高まる（デザイン性向上）。本考案の一実施形態や変形例に係わる植木鉢では底部排水口は通常利用しないため、従来の植木鉢のように排水用の受け皿が不要であり室内でも利用しやすく、畝間を背後に設置すれば、全体的に見栄えも良くなる。（インテリア性向上）
【００２２】
よって、本考案の一実施形態や変形例に係わる植木鉢は畝間さえ確保されれば、植物の生育に影響を与えず、より自由な形状で室内外を問わず植栽が楽しめる。
【００２３】
なお、本考案の一実施形態や変形例に係わる植木鉢は一例であり、複数並べて利用することにより実際の畑を模したが菜園を作ることが可能となる。
【符号の説明】
【００２４】
１・・・植木鉢、１a・・・植木鉢、２・・・畝間部、２b・・・畝間部、２c・・・畝間部、３・・・側板、
４・・・上部正面板、５・・・下部正面板、６・・・背面板、６ａ・・・上部背面板、６ｂ・・・下部背面板、
７・・・底板、８・・・貫通孔、９・・・畝間開口部、９ａ・・・畝間開口部、９b・・・畝間開口部、
１０・・・上方開口部、１１・・・排水口、Ｐ・・・植物、Ｓ・・・土
【図１】
0003167711.tif 000003
【図２】
0003167711.tif 000004
【図３】
0003167711.tif 000005
【図４】
0003167711.tif 000006